(57)【要約】【課題】会場内の様子にあわせたコンテンツを提供することができ、大きなスクリーンを用意しなくてもよいコンテンツ制御装置を提供する。【解決手段】表示装置と当該表示装置に画像を投影する画像投影装置と当該画像投影装置に接続される再生装置とが、会場内の各テーブルに設けられ、前記再生装置のそれぞれにコンテンツ制御装置が接続されるコンテンツ制御システムにおけるコンテンツ制御装置であって、前記会場内において行われる式の進行に従って定められるシーンに対応するコンテンツの再生順序を、前記会場内に配置されるテーブル毎に対応付けられた進行データを記憶する進行データ記憶部と、前記進行データのいずれかのコンテンツに対する再生指示が入力されると、再生対象のテーブルに配置された再生装置に、再生指示がなされたコンテンツを再生するように指示をする出力制御部と、を有する。【選択図】図１
2011221117.tif 000002
【特許請求の範囲】
【請求項１】
表示装置と当該表示装置に画像を投影する画像投影装置と当該画像投影装置に接続され
る再生装置とが、会場内の各テーブルに設けられ、前記再生装置のそれぞれにコンテンツ
制御装置が接続されるコンテンツ制御システムにおけるコンテンツ制御装置であって、
前記会場内において行われる式の進行に従って定められるシーンに対応するコンテンツ
の再生順序を、前記会場内に配置されるテーブル毎に対応付けられた進行データを記憶す
る進行データ記憶部と、
前記進行データのいずれかのコンテンツに対する再生指示が入力されると、再生対象の
テーブルに配置された再生装置に、再生指示がなされたコンテンツを再生するように指示
をする出力制御部と、
を有することを特徴とするコンテンツ制御装置。
【請求項２】
前記出力制御部は、
第１のシーンにおいて第１のテーブルの再生装置がコンテンツを再生をしているときに
、第２のテーブルの再生装置に対して再生指示が入力されると、第２の再生装置に再生指
示を行うとともに、第１のテーブルの再生装置の再生を停止させる
ことを特徴とする請求項１記載のコンテンツ制御装置。
【請求項３】
前記出力制御部は、前記テーブルの全てを対象としてコンテンツの再生を指示する一括
再生または前記テーブルのいずれかを指定してコンテンツの再生を指示する個別再生によ
って、コンテンツの再生の指示をする
ことを特徴とする請求項１記載のコンテンツ制御装置。
【請求項４】
前記進行データを表示する表示部を有し、
前記出力制御部は、前記コンテンツのうち、一度再生されたコンテンツについて既に再
生済であることを前記表示部に表示をし、当該再生済のコンテンツに対し再生指示が入力
された場合には再生を行わない
ことを特徴とする請求項１または請求項２に記載のコンテンツ制御装置。
【請求項５】
前記進行データは、同一テーブルの同一のシーンに複数のコンテンツが再生対象として
記憶されており、
前記出力制御部は、前記同一テーブルの同一のシーンにおいて、前記複数のコンテンツ
のうち再生指示がされたコンテンツを再生する
ことを特徴とする請求項１から請求項３のうちいずれか１項に記載のコンテンツ制御装
置。
【請求項６】
表示装置と当該表示装置に画像を投影する画像投影装置と当該画像投影装置に接続され
る再生装置とが、会場内の各テーブルに設けられ、前記再生装置のそれぞれにコンテンツ
制御装置が接続されるコンテンツ制御システムにおけるコンテンツ制御装置におけるコン
テンツ制御方法であって、
出力制御部が、前記会場内において行われる式の進行に従って定められるシーンに対応
するコンテンツの再生順序を、前記会場内に配置されるテーブル毎に対応付けられた進行
データを記憶する進行データ記憶部を参照し、前記進行データのいずれかのコンテンツに
対する再生指示が入力されると、再生対象のテーブルに配置された再生装置に、再生指示
がなされたコンテンツを再生するように指示をする
ことを特徴とするコンテンツ制御方法。
【請求項７】
表示装置と当該表示装置に画像を投影する画像投影装置と当該画像投影装置に接続され
る再生装置とが、会場内の各テーブルに設けられ、前記再生装置のそれぞれにコンテンツ
制御装置が接続されるコンテンツ制御システムにおけるコンテンツ制御装置のコンピュー
タに、
前記会場内において行われる式の進行に従って定められるシーンに対応するコンテンツ
の再生順序を、前記会場内に配置されるテーブル毎に対応付けられた進行データを記憶す
る進行データ記憶部を参照し、前記進行データのいずれかのコンテンツに対する再生指示
が入力されると、再生対象のテーブルに配置された再生装置に、再生指示がなされたコン
テンツを再生するように指示をする出力制御手段
として機能させるコンテンツ制御プログラム。
【発明の詳細な説明】
【技術分野】
【０００１】
本発明は、複数の画面にコンテンツを表示するコンテンツ制御装置、コンテンツ制御方
法、コンテンツ制御プログラム処理に関する。
【背景技術】
【０００２】
結婚式の披露宴では、会場内に複数の円卓が設けられるとともに、主賓席が設けられ、
披露宴の進行に応じて、会場内に設けられたスクリーンに各種コンテンツが表示されるこ
とが行われる場合がある。このようなコンテンツは、披露宴が行われる前に予め作成され
てメディアに記憶され、披露宴の進行に合わせてスクリーンに投影される。このスクリー
ンに表示されるコンテンツは、例えば、新郎や新婦を紹介する場面では、新郎新婦の写真
や動画が表示され、余興では、余興に合わせたコンテンツが表示される。このように、１
つのスクリーンを会場内の出席者に共有して見せつつ、式が進行する。
また、各出席者がコンテンツを閲覧することができるようにする場合、大きなスクリー
ンを用いることが多い。ここでは、コンテンツが表示される画面そのものを大きくするた
めに、例えば、下記に示す特許文献１に記載された技術等を用いて、マルチディスプレイ
によって表示することが考えられる。
【先行技術文献】
【特許文献】
【０００３】
【特許文献１】特開２００６−３６０９号公報
【発明の概要】
【発明が解決しようとする課題】
【０００４】
しかしながら、上述した１つのスクリーンを出席者が共有して閲覧する場合、会場全体
として共通のコンテンツを閲覧することができるが、親族や友人など、新郎新婦との関係
に応じて、異なるコンテンツを閲覧できるようにした方が、出席者が、より楽しめる場合
も考えられる。また、披露宴の進行や各場面の雰囲気を事前に予想し、それに応じて予め
コンテンツを準備しているが、進行が予定したスケジュール通りに進まなかったり、当日
の会場の雰囲気が、予想したものとは異なっている場合には、その場に合わせたコンテン
ツを提供できた方が、好ましい。
また、上述した特許文献１においては、スクリーンから主席者までの距離が遠くなると
、それだけ大きなスクリーンを用意する必要があるが、スクリーンが大きくなると、その
準備も大がかりになってしまう。
【０００５】
本発明は、このような事情に鑑みてなされたもので、その目的は、会場内の様子にあわ
せたコンテンツを提供することができ、大きなスクリーンを用意しなくてもよいコンテン
ツ制御装置、コンテンツ制御方法、コンテンツ制御プログラムを提供することにある。
【課題を解決するための手段】
【０００６】
上述した課題を解決するために、本発明は、表示装置と当該表示装置に画像を投影する
画像投影装置と当該画像投影装置に接続される再生装置とが、会場内の各テーブルに設け
られ、前記再生装置のそれぞれにコンテンツ制御装置が接続されるコンテンツ制御システ
ムにおけるコンテンツ制御装置であって、前記会場内において行われる式の進行に従って
定められるシーンに対応するコンテンツの再生順序を、前記会場内に配置されるテーブル
毎に対応付けられた進行データを記憶する進行データ記憶部と、前記進行データのいずれ
かのコンテンツに対する再生指示が入力されると、再生対象のテーブルに配置された再生
装置に、再生指示がなされたコンテンツを再生するように指示をする出力制御部と、を有
することを特徴とする。
【０００７】
また、本発明は、前記出力制御部は、第１のシーンにおいて第１のテーブルの再生装置
がコンテンツを再生をしているときに、第２のテーブルの再生装置に対して再生指示が入
力されると、第２の再生装置に再生指示を行うとともに、第１のテーブルの再生装置の再
生を停止させることを特徴とする。
【０００８】
また、本発明は、前記出力制御部は、前記テーブルの全てを対象としてコンテンツの再
生を指示する一括再生または前記テーブルのいずれかを指定してコンテンツの再生を指示
する個別再生によって、コンテンツの再生の指示をすることを特徴とする。
【０００９】
また、本発明は、前記進行データを表示する表示部を有し、前記出力制御部は、前記コ
ンテンツのうち、一度再生されたコンテンツについて既に再生済であることを前記表示部
に表示をし、当該再生済のコンテンツに対し再生指示が入力された場合には再生を行わな
いことを特徴とする。
【００１０】
また、本発明は、前記進行データは、同一テーブルの同一のシーンに複数のコンテンツ
が再生対象として記憶されており、前記出力制御部は、前記同一テーブルの同一のシーン
において、前記複数のコンテンツのうち再生指示がされたコンテンツを再生することを特
徴とする。
【００１１】
また、本発明は、表示装置と当該表示装置に画像を投影する画像投影装置と当該画像投
影装置に接続される再生装置とが、会場内の各テーブルに設けられ、前記再生装置のそれ
ぞれにコンテンツ制御装置が接続されるコンテンツ制御システムにおけるコンテンツ制御
装置におけるコンテンツ制御方法であって、出力制御部が、前記会場内において行われる
式の進行に従って定められるシーンに対応するコンテンツの再生順序を、前記会場内に配
置されるテーブル毎に対応付けられた進行データを記憶する進行データ記憶部を参照し、
前記進行データのいずれかのコンテンツに対する再生指示が入力されると、再生対象のテ
ーブルに配置された再生装置に、再生指示がなされたコンテンツを再生するように指示を
することを特徴とする。
【００１２】
また、本発明は、表示装置と当該表示装置に画像を投影する画像投影装置と当該画像投
影装置に接続される再生装置とが、会場内の各テーブルに設けられ、前記再生装置のそれ
ぞれにコンテンツ制御装置が接続されるコンテンツ制御システムにおけるコンテンツ制御
装置のコンピュータに、前記会場内において行われる式の進行に従って定められるシーン
に対応するコンテンツの再生順序を、前記会場内に配置されるテーブル毎に対応付けられ
た進行データを記憶する進行データ記憶部を参照し、前記進行データのいずれかのコンテ
ンツに対する再生指示が入力されると、再生対象のテーブルに配置された再生装置に、再
生指示がなされたコンテンツを再生するように指示をする出力制御手段として機能させる
。
【００１３】
以上説明したように、この発明によれば、会場内において行われる式の進行に従って定
められるシーンに対応するコンテンツの再生順序を、会場内に配置されるテーブル毎に対
応付けられた進行データを記憶しておき、進行データのいずれかのコンテンツに対する再
生指示が入力されると、再生対象のテーブルに配置された再生装置に、再生指示を行う。
これにより、式の進行に応じた順序に従って準備されたコンテンツを、式の進行状況や雰
囲気を考慮したタイミングで、再生させる対象のテーブルを指定して再生させることがで
きる。
【００１４】
また、第１のシーンにおいて第１のテーブルの再生装置がコンテンツを再生をしている
ときに、第２のテーブルの再生装置に対して再生指示が入力されると、第２の再生装置に
再生指示を行うとともに、第１のテーブルの再生装置の再生を停止させるようにしたので
、特定のテーブルのみにコンテンツを出力すべき場合に、誤って２カ所のテーブルでコン
テンツを表示してしまうことを防止することができる。
【００１５】
また、一度再生されたコンテンツについて既に再生済であることを表示部に表示をし、
当該再生済のコンテンツに対し再生指示が入力された場合には再生を行わないようにした
ので、同じコンテンツを再度表示してしまうことを防止することができる。
【図面の簡単な説明】
【００１６】
【図１】この発明の一実施形態によるコンテンツ制御システムの構成を示す概略ブロック図である。
【図２】コンテンツ制御装置３０の構成を表すブロック図である。
【図３】プロジェクター１０と再生装置２０が設置された外観を示す図である。
【図４】会場内のレイアウトの一例を説明する図である。
【図５】進行データの一例を示す図である。
【図６】コンテンツ制御装置３０の表示部３６に表示される画面の一例を示す図である。
【図７】各テーブルのコンテンツを一斉に再生または停止する場合における画面を説明する図である。
【図８】特定のテーブルのコンテンツを再生または停止する場合における画面を説明する図である。
【図９】コンテンツ制御装置３０の動作を説明するフローチャートである。
【図１０】コンテンツの再生が行われた場合に、並列して実行される処理を説明するフローチャートである。
【発明を実施するための形態】
【００１７】
以下、本発明の一実施形態によるコンテンツ制御システムについて図面を参照して説明
する。図１は、この発明の一実施形態によるコンテンツ制御システムの構成を示す概略ブ
ロック図である。
この図において、コンテンツ制御システム１は、複数のプロジェクター１０と、複数の
再生装置２０と、コンテンツ制御装置３０とがネットワーク４０を介して接続されている
。
【００１８】
プロジェクター１０は、会場内の各テーブルに設けられており、再生装置２０に接続さ
れ、再生装置から供給されるコンテンツをテーブルに設置されたスクリーンに投影する。
再生装置２０は、コンテンツ制御装置３０からの指示に従って、コンテンツを再生装置
２０に供給する。この再生装置は、例えばＰＣである。
【００１９】
コンテンツ制御装置３０は、各再生装置２０に接続され、各種コンテンツを再生させる
制御を行う。
図２は、コンテンツ制御装置３０の構成を表すブロック図である。
通信部３１は、ネットワーク４０を介して、各再生装置２０と通信を行う。
進行データ記憶部３２は、会場内において行われる式の進行に従って定められるシーン
に対応するコンテンツの再生順序を、会場内に配置されるテーブル毎に対応付けられた進
行データを記憶する。入力部３４は、キーボードやマウス等の入力装置であり、ユーザか
らの操作に応じて各種入力を行う。
【００２０】
制御部３５は、コンテンツの再生指示が入力部３４から入力されると、再生対象のテー
ブルに配置された再生装置に、再生指示がなされたコンテンツを再生するように指示を通
信部３１を介して送信する。
また、制御部３５は、第１のシーンにおいて第１のテーブルの再生装置がコンテンツを
再生をしているときに、第２のテーブルの再生装置に対して再生指示が入力されると、第
２の再生装置に再生指示を行うとともに、第１のテーブルの再生装置の再生を停止させる
。
制御部３５は、コンテンツのうち、一度再生されたコンテンツについて既に再生済であ
ることを表示部３５に表示をし、当該再生済のコンテンツに対し再生指示が入力された場
合には再生を行わない。既に再生済であることについては、例えば、画像をグレイアウト
することにより表示し、他のコンテンツとは異なる表示を行う。
また、制御部３５は、テーブルの全てを対象としてコンテンツの再生を指示する一括再
生またはテーブルのいずれかを指定してコンテンツの再生を指示する個別再生によって、
コンテンツの再生の指示をする。
表示部３６は、例えば、液晶表示装置であり、進行データや各種データを表示する。
【００２１】
記憶部３７は、各種コンテンツを記憶するとともに、各テーブルに対応する再生装置２
０に割り当てられ各再生装置を識別する再生装置識別情報を記憶する。この再生装置識別
情報は、再生装置２０がネットワーク４０に接続されたことが通信部３１によって認識さ
れた際に、再生装置２０から再生装置識別情報を送信してもらい、通信部３１が記憶部３
７に記憶する。この再生装置識別情報が、テーブル識別情報として用いられる。
【００２２】
図３は、プロジェクター１０と再生装置２０が設置された外観を示す図である。
テーブル１００は、テーブル面が透明であり、テーブルの下面にスクリーンシートが貼
付されており、プロジェクター１０から投影されたコンテンツが、スクリーンシートに投
影されることにより、テーブルの上面側から視認できるようになっている。プロジェクタ
ー１０は、テーブルの下に設置され再生装置２０に接続されており、テーブルの下面のス
クリーンシートにコンテンツを投影する。
【００２３】
図４は、会場内のレイアウトの一例を説明する図である。会場内には、主賓席２００の
他に、司会進行役が利用するテーブル２０１と、式への出席者が着席する複数のテーブル
２０２と、コンテンツ制御装置３０が設置され当該コンテンツ制御装置３０を操作する操
作台２０３が設けられる。この操作台２０３は、会場内に設けられる場合が図示されてい
るが、会場内の様子をカメラで撮影し、その会場内の様子を映像で見ることができる別室
に設置されてもよい。また、テーブル２０２には、それぞれテーブルを識別するテーブル
識別情報が割り当てられている。
【００２４】
図５は、進行データの一例を示す図である。
進行データは、シーンＩＤは、各シーンを識別する情報である。このシーンＩＤのそれ
ぞれに対し、テーブル毎に、そのシーンにおいて出力されるコンテンツのＩＤが対応づけ
られる。ここでは、同じシーンについて、各テーブルに着席する主席者に応じたコンテン
ツを出力するように割り当てすることができる。例えば、新郎新婦の記念写真を投影する
シーンにおいて、親族には、新郎新婦の小さな頃の写真を投影し、友人には、一緒に遊び
に行った時に記念撮影した写真を投影するようにコンテンツを設定することができる。こ
の進行データは、披露宴毎にそれぞれ記憶される。
【００２５】
図６は、コンテンツ制御装置３０の表示部３６に表示される画面の一例を示す図である
。
表示部３６には、シーンに対応づけて制御対象である会場内のテーブル毎に投影される
コンテンツのサムネイル画像が並べて表示される。ここでは、コンテンツを投影する対象
の披露宴の名称と日付が表示されるととともに（符号３００）、シーンの名称（符号３０
１）、テーブル識別情報（符号３０２）が表示される。さらに、クリックすることにより
各テーブルのプロジェクターをＯＮ、ＯＦＦする指示を入力する入力ボタン（符号３０３
）、各プロジェクター１０の動作状況を表示するステータス表示欄（符号３０４）が表示
される。
このステータスは、例えば、各テーブルのプロジェクター１０に接続された再生装置２０
とコンテンツ制御装置３０との通信状態がオンラインであるかオフラインであるか、また
、通信異常が発生しているか、コンテンツが上映されているか停止されているか、等があ
る。また、進行データに対応するコンテンツのサムネイル画像がシーンのそれぞれについ
て、テーブル識別情報に対応させて表示される（符号３０５）。
この表示画面において、各表示欄をクリックすることにより、各種操作の入力を行うこ
とができる。
【００２６】
図７は、各テーブルのコンテンツを一斉に再生または停止する場合における画面を説明
する図である。
図７（ａ）において、複数のシーンのうち、いずれか１つ（例えば、オープニング）が
クリックされると、コンテンツの制御対象として全テーブルが指定され、再生された対象
のシーンに対し、再生するか否かを示す再生ボタン（符号ｂ）が表示される（図７（ｂ）
）。そして、この再生ボタンがクリックされると、コンテンツ制御装置３０は、全テーブ
ルの再生装置２０に対し、コンテンツの再生を指示する。再生されるコンテンツは、進行
データによってシーン「オープニング」に対応付けられて指定されているコンテンツであ
る。この指示を受けた各再生装置２０は、それぞれ自身に接続されたプロジェクター１０
によってコンテンツを投影する。この再生ボタンのクリックは、オペレーターが、会場の
式の進行状況を確認し、オープニングのシーンが開始されたタイミングを見計らってクリ
ックする。
【００２７】
コンテンツの再生が開始されると、停止ボタンが表示される（図７（ｃ）、符号ｃ）。
オペレーターによって、この停止ボタンがクリックされると、コンテンツ制御装置３０は
、全テーブルの再生装置２０に対し、コンテンツの再生を停止する指示を出力する。コン
テンツの停止を指示すると、停止ボタンは、再生ボタンに切り替わって表示され（図７（
ｄ）、符号ｄ）、再度クリックされると、オープニングのコンテンツが再生される。
制御部３５は、このようにして、オペレーターからの指示に従い、テーブルの全てを対
象としてコンテンツの再生を指示する一括再生を行う。
【００２８】
図８は、特定のテーブルのコンテンツを再生または停止する場合における画面を説明す
る図である。
いずれかのシーンにおける制御対象のテーブルのコンテンツのサムネイルがクリックさ
れると、そのクリックされたサムネイルに対応するコンテンツの再生または停止の指示の
入力を受け付けるようにアクティブ状態に移行し、その表示欄の背景色を変更する。例え
ば、シーン「オープニング」において、テーブル識別情報がＴ０１とＴ０３のサムネイル
画像がオペレーターによってクリックされると（図８（ａ）、符号ａ、ｂ）、それらのサ
ムネイル画像の背景色を他のサムネイル画像の背景色とは異なる色によって表示するとと
もに（図８（ｂ）、符号ｃ）、再生ボタンを表示する（図８（ｂ）、符号ｄ）。そして、
オペレーターによって再生ボタンがクリックされると、コンテンツ制御装置３０は、テー
ブル識別情報がＴ０１とＴ０３に対応する再生装置２０に対し、シーン「オープニング」
のコンテンツの再生を指示する。再生されるコンテンツは、進行データによってシーン「
オープニング」に対応付けられて指定されているコンテンツである。この指示を受けたテ
ーブル識別情報がＴ０１とＴ０３の再生装置２０は、それぞれ自身に接続されたプロジェ
クター１０によってコンテンツを投影する。
【００２９】
ここで、シーンの表示欄には、コンテンツを繰り返して表示することを指定するリピー
トボタン（図８（ｃ）、符号ｆ）と、コンテンツをフェードアウトさせるフェードアウト
ボタン（図８（ｃ）、符号ｇ）とが表示されている。これらのいずれかがクリックされる
と、指定されたテーブル（ここでは、Ｔ０１とＴ０３）のコンテンツを繰り返して再生し
たり、フェードアウトして再生を終了する。
【００３０】
コンテンツが再生されると、表示欄に停止ボタンが表示される（図８（ｃ）、符号ｅ）
。オペレーターによって、この停止ボタンがクリックされると、コンテンツ制御装置３０
は、テーブル識別情報がＴ０１とＴ０３の再生装置２０に、コンテンツの再生を停止する
指示を出力する。
ここでは、テーブル識別情報がＴ０１とＴ０３の２つを選択する場合について説明した
が、１つだけ選択してもよいし、３つ以上選択してもよい。
制御部３５は、このようにして、オペレーターからの指示に従い、全テーブルのうちの
一部のテーブル（１つまたは複数）を指定してコンテンツの再生を指示する個別再生によ
って、コンテンツの再生の指示をする。
【００３１】
図７、図８において、コンテンツの再生について説明したが、コンテンツを一度再生し
た後は、その再生されたコンテンツのサムネイル画像をグレイアウトして表示し、再生で
きないことを示すように表示する。グレイアウト表示されたサムネイル画像が再度クリッ
クされても、コンテンツ制御装置３０は、そのコンテンツに対する指定の受付を行わない
ようにし、再生を行わない。これにより、１度再生されたコンテンツを再度再生すること
を防止することができる。
【００３２】
また、グレイアウト表示を用いる他の方法として、１つのシーンにおいて、いずれかの
テーブルが指定されてコンテンツが再生されると、同じシーンにおける他のテーブルでの
再生を行わないようにグレイアウト表示してもよい。これにより、あるシーンにおいては
、１つテーブルのみコンテンツを再生し、他のテーブルではコンテンツを再生しないよう
にすることができる。
【００３３】
次に、上述したコンテンツ制御装置３０の動作を説明する。
図９は、コンテンツ制御装置３０の動作を説明するフローチャートである。ここでは、オ
ペレーターは、会場内のレイアウト図を参照することで、目的のテーブルのテーブル識別
情報を把握できるようになっている。このレイアウト図には、テーブルが配置された位置
と、その位置のテーブルに割り当てられたテーブル識別情報が記述されている。
【００３４】
各再生装置２０がネットワーク４０に接続されると、コンテンツ制御装置３０の制御部
３５は、接続された再生装置２０から送信される再生装置識別情報を受信して、記憶部３
７に記憶する（ステップＳ１０）。そして、入力部３４を介して、オペレーターによって
メニュー画面のなかからいずれの披露宴の進行データを読み出すかの指定が入力されると
（ステップＳ１１）、制御部３５は、進行データを記憶部３７から読み出し、ネットワー
ク４０に接続された各再生装置４０に対して、進行データを送信する（ステップＳ１２）
。ここでは、再生装置識別情報は、テーブル識別情報と予め対応付けを行っておくことに
より、再生装置識別情報を認識した時点で、テーブル識別情報に対応する送信相手先の再
生装置２０を特定できるようになっている。
【００３５】
進行データが読み出されると、制御部３５は、進行データを表示部３６に表示するとと
もに、進行データによって指定されるコンテンツのサムネイルも合わせて表示する（ステ
ップＳ１３）。そして、披露宴が開始されると、オペレーターは、披露宴の様子を把握し
つつ、進行に応じたシーンに従って、コンテンツの再生を入力部３４から指示する。入力
部３４から指示が入力され（ステップＳ１４）、その指示が再生の指示であると（ステッ
プＳ１５）、制御部３５は、再生が指示されたテーブルの再生装置に再生指示を出力する
（ステップＳ１６）。ここでは、全テーブルが指定された場合には、全テーブルの再生装
置２０に指定されたシーンのコンテンツを再生するように指示を送信し、特定のテーブル
が指定されると、その指定されたテーブルの再生装置２０に対して指示を送信する。
【００３６】
そして制御部３５は、コンテンツの停止指示が入力された否かを判定し（ステップＳ１
７）、停止指示がされた場合には、ステップＳ１９に移行してグレイアウト表示を行うか
否かを判定し（ステップＳ１９）、グレイアウト表示が指定されているコンテンツである
場合には、停止されたコンテンツのサムネイル表示欄をグレイアウト表示して入力の受付
を停止し（ステップＳ２０）、グレイアウト表示が指定されていない場合には、処理を終
了するか否かを判定し（ステップＳ２１）、終了しない場合にはステップＳ１４に移行す
る。
【００３７】
ステップＳ１７において、停止指示がされていなければ、コンテンツの再生が終了した
か否かを判定し（ステップＳ１８）、再生が終了していなければ、ステップＳ１７に移行
し、再生が終了した場合には、ステップＳ１９に移行する。
【００３８】
図１０は、ステップＳ１５のコンテンツの再生が行われた場合に、並列して実行される
処理を説明するフローチャートである。コンテンツが再生されると、制御部３５は、他の
テーブルへの再生指示の入力が受付可能か否かを判定し（ステップＳ３０）、受付可能で
あれば処理を終了し、受付が可能ではない場合、他のテーブルの再生装置に対する再生指
示の入力を停止し、グレイアウト表示をする（ステップＳ３１）。
【００３９】
以上説明した実施形態においては、オペレーターが披露宴の進行状況を見計らって、ど
のテーブルにどのコンテンツを投影するかを、テーブルの座席順や会場の雰囲気に応じて
、テーブル毎に、コンテンツの再生をスタートや停止を行うようにしたので、会場の雰囲
気に対応したタイミングでコンテンツを閲覧させることができる。
【００４０】
なお、上述した実施形態において、進行データに応じてコンテンツを決めていたが、披
露宴が始まった後に、会場の雰囲気をみて、再生するコンテンツを適宜変更することがで
きる。例えば、１つのシーンに複数通りのコンテンツを進行データに記憶しておき、その
シーンが到来したときの会場の雰囲気を見て、その時点でコンテンツを選択し、特定のテ
ーブル、あるいは全テーブルにコンテンツを投影させるようにしてもよい。例えば、余興
でクイズ等のゲームを行う際、問題に対して回答する回答者が答えた内容に応じて、「正
解」や「はずれ」等のコンテンツを、回答者として指定された出席者がいるテーブルを指
定して表示させるようにしてもよい。ここでは、シーン「クイズ」を２つ準備し、「正解
」のコンテンツと「はずれ」のコンテンツを記憶しておくようにすればよい。これにより
、その場に応じたコンテンツを適宜選択して出力することができる。
【００４１】
また、上述した実施形態において、コンテンツは、コンテンツの再生時にコンテンツ制
御装置３０から再生装置２０に送信して出力させるようにしてもよいし、再生装置２０に
予め記憶させておき、コンテンツ制御装置３０から再生指示を送信したタイミングで、特
定のコンテンツを出力するようにしてもよい。
【００４２】
ここで、再生装置２０がコンテンツ制御装置３０に複数台接続される場合、コンテンツ
の容量が大きいと、コンテンツ制御装置３０から全ての再生装置２０にコンテンツをダウ
ンロードさせてコピーすると、ダウンロードの時間が長引いてしまう。そこで、コンテン
ツが記憶されたＵＳＢ（universal serial bus）メモリを複数準備し、各再生装置２０に
接続してコピーすることにより、複数の再生装置２０に並列してコピーすることが可能と
なる。ここでは、ＵＥＢメモリが接続されたことを契機に、コンテンツをコピーするよう
に設定しておくと、コンテンツをコピーする指示を入力する手間を省くことができる。
【００４３】
ここで、コンテンツは、全種類のコンテンツを各再生装置２０にコピーするようにして
もよいし、再生装置２０で必要となるコンテンツのみをコピーするようにしてもよい。
なお、上述した実施形態においては、表示欄を一度クリックしてアクティブな状態にし
てから、再生の指示の入力を受け付けるようにしたので、誤って表示欄をクリックした際
に、意図しないコンテンツが直ちに再生されてしまうことを防止することができる。
【００４４】
なお、上述した実施形態において、プロジェクター１０を用いる場合について説明した
が、画像を投影する画像投影装置であれば、プロジェクターに限られるものではない。ま
た、スクリーンを用いる場合について説明したが、画像を表示する表示装置であれば、ス
クリーンに限られるものではない。
【００４５】
また、上述した実施形態において、テーブルの上面にプロジェクターによって映像を投
影するようにしたので、映像をテーブルのデザインの一部として見せることができるよう
になり、また、会場内の雰囲気を向上させるインテリアとして用いることができる。
【００４６】
また、図１におけるコンテンツ制御装置３０の機能を実現するためのプログラムをコン
ピュータ読み取り可能な記録媒体に記録して、この記録媒体に記録されたプログラムをコ
ンピュータシステムに読み込ませ、実行することによりコンテンツ制御処理を行ってもよ
い。なお、ここでいう「コンピュータシステム」とは、ＯＳや周辺機器等のハードウェア
を含むものとする。
【００４７】
また、「コンピュータシステム」は、ＷＷＷシステムを利用している場合であれば、ホ
ームページ提供環境（あるいは表示環境）も含むものとする。
また、「コンピュータ読み取り可能な記録媒体」とは、フレキシブルディスク、光磁気
ディスク、ＲＯＭ、ＣＤ−ＲＯＭ等の可搬媒体、コンピュータシステムに内蔵されるハー
ドディスク等の記憶装置のことをいう。さらに「コンピュータ読み取り可能な記録媒体」
とは、インターネット等のネットワークや電話回線等の通信回線を介してプログラムを送
信する場合の通信線のように、短時間の間、動的にプログラムを保持するもの、その場合
のサーバやクライアントとなるコンピュータシステム内部の揮発性メモリのように、一定
時間プログラムを保持しているものも含むものとする。また上記プログラムは、前述した
機能の一部を実現するためのものであっても良く、さらに前述した機能をコンピュータシ
ステムにすでに記録されているプログラムとの組み合わせで実現できるものであってもよ
い。
【００４８】
以上、この発明の実施形態について図面を参照して詳述してきたが、具体的な構成はこ
の実施形態に限られるものではなく、この発明の要旨を逸脱しない範囲の設計等も含まれ
る。
【符号の説明】
【００４９】
１  コンテンツ制御システム
１０  プロジェクター
２０  再生装置
３０  コンテンツ制御装置
３１  通信部
３２  進行データ記憶部
３４  入力部
３５  制御部
３６  表示部
３７  記憶部
４０  ネットワーク
【図１】
2011221117.tif 000003
【図２】
2011221117.tif 000004
【図３】
2011221117.tif 000005
【図４】
2011221117.tif 000006
【図５】
2011221117.tif 000007
【図６】
2011221117.tif 000008
【図７】
2011221117.tif 000009
【図８】
2011221117.tif 000010
【図９】
2011221117.tif 000011
【図１０】
2011221117.tif 000012